(57)【特許請求の範囲】
【請求項１】
コンクリート部、モルタル部、アスファルト部あるいは土部等の配置部に、肥料性部材を配置すべく、前記配置部に固定される緑化枠体であって、
枠体本体と、
前記肥料性部材が、前記枠体本体の背面側から収納される収納部と、
その収納部に収納される前記肥料性部材を、前記枠体本体の正面側に現れるようにするための開口部と、
前記配置部に、固定手段によって取り付け固定される被固定部とを備え、
前記収納部は、前記配置部とで保持する肥料性部材保持部を有することを特徴とする緑化枠体。
【請求項２】
前記被固定部に、前記固定手段を構成するボルトが挿通する挿通部が設けられていることを特徴とする請求項１に記載の緑化枠体。
【請求項３】
前記被固定部は、前記枠体本体の両側部に設けられており、その一方側の被固定部に、係合凸部が形成され、その他方側の被固定部に、係合凹部が形成されており、
前記係合凸部に、同形状の他の緑化枠体の係合凹部を係合させることにより、前記一方側の被固定部に設けられた挿通部と、前記他の緑化枠体の、他方側の被固定部に設けられた挿通部とが、前記ボルトを挿通可能なように連通することを特徴とする請求項２に記載の緑化枠体。
【請求項４】
前記開口部に、渡し材が渡されて、前記開口部が複数に区画されているとともに、前記渡し材が前記肥料性部材保持部となっていることを特徴とする請求項１ないし３のいずれか１項に記載の緑化枠体。
【請求項５】
請求項１ないし４のいずれか１項に記載の緑化枠体と、前面側が前記配置部となるコンクリートブロックと、前記肥料性部材と、前記固定手段とを備え、
前記緑化枠体の収納部に、前記肥料性部材が収納されて、前記緑化枠体の被固定部が、前記固定手段によって、前記配置部に取り付け固定されることにより、前記緑化枠体が前記配置部に固定されていることを特徴とする、緑化枠体を備えるブロック体。
【請求項６】
前記肥料性部材は、腐食によって有機質肥料となり得る、木材、枝葉などを主材としてマット状、ボード状に成形した木質成形材、もしくは、畳、畳床あるいは畳表等の畳材からなることを特徴とする請求項５項に記載の、緑化枠体を備えるブロック体。
【請求項７】
請求項１ないし４のいずれか１項に記載の緑化枠体と、前記配置部と、前記肥料性部材と、前記固定手段とを備え、
その固定手段は、前記緑化枠体の被固定部と前記配置部との間の距離を調節して、前記緑化枠体を、前記配置部に取り付け固定することができるように機能することを特徴とする、緑化枠体を備える緑化構造。
【請求項８】
前記固定手段は、雄ネジ部材と、その雄ネジ部材に螺合する雌ネジ部材とからなり、
前記雄ネジ部材または前記雌ネジ部材のねじ込み量の調節によって、前記緑化枠体の被固定部と前記配置部との間の距離が調節されることを特徴とする請求項７に記載の、緑化枠体を備える緑化構造。
【発明の詳細な説明】
【０００１】
【発明の属する技術分野】
この発明は、コンクリート部、モルタル部、アスファルト部あるいは土部等の配置部に、肥料性部材を配置すべく、前記配置部に固定される緑化枠体、その緑化枠体を備えるブロック体、および、その緑化枠体を備える緑化構造に関するものである。
【０００２】
【従来の技術および発明が解決しようとする課題】
従来、景観向上とか環境保全あるいは地球温暖化防止等の観点から、コンクリートブロック等のコンクリート部表面に植物を生育させるための緑化技術が種々提案されている。ところで、植物の生育を促進させるためには、肥料の安定供給が必要であるが、そのための肥料性部材を、成形されたコンクリート二次製品のコンクリート表面とか、ビル屋上あるいは駐車場等のコンクリート表面などのコンクリート部表面に、手間を要することなく、かつ、確実に配置できるようにすることは、必ずしも容易なことではなかった。
【０００３】
この発明は、上記した問題点に鑑みて創作されたものであって、その目的は、コンクリート部、モルタル部、アスファルト部あるいは土部等の配置部に、肥料性部材を、容易かつ確実に配置することができる、緑化枠体を提供することにある。
【０００４】
また、この発明の他の目的は、植物の育成に適した、緑化枠体を備えるブロック体を提供することにある。
【０００５】
また、この発明のさらなる他の目的は、資源の再利用および製品コストの削減を図ることができる、緑化枠体を備えるブロック体を提供することにある。
【０００６】
また、この発明のさらなる他の目的は、配置部に起伏があるような場合でも、その配置部に、並ぶように取り付け固定された、各緑化枠体の前面を、面一にすることができる、緑化枠体を備える緑化構造を提供することにある。
【０００７】
【課題を解決するための手段】
この発明に係る緑化枠体は、前記目的を達成するために、次の構成からなる。すなわち、
請求項１に記載の発明に係る緑化枠体は、コンクリート部、モルタル部、アスファルト部あるいは土部等の配置部に、肥料性部材を配置すべく、前記配置部に固定される緑化枠体である。そして、この緑化枠体は、枠体本体と、前記肥料性部材が、前記枠体本体の背面側から収納される収納部と、その収納部に収納される前記肥料性部材を、前記枠体本体の正面側に現れるようにするための開口部と、前記配置部に、固定手段によって取り付け固定される被固定部とを備える。そして、前記収納部は、前記配置部とで保持する肥料性部材保持部を有する。これによれば、枠体本体の背面側から、収納部に肥料性部材を収納して、被固定部を、コンクリート部、モルタル部、アスファルト部あるいは土部等の配置部に、固定手段によって取り付け固定することにより、前記肥料性部材は、前記収納部が有する肥料性部材保持部と、配置部とで保持される。よって、肥料性部材４を、前記配置部に、後付けで、容易かつ確実に配置することができるようになる。また、収納部に収納された肥料性部材は、開口部を通して、枠体本体の正面側に現れる。
【０００８】
また、請求項２に記載の発明に係る緑化枠体のように、前記被固定部に、前記固定手段を構成するボルトが挿通する挿通部が設けられているのが望ましい。被固定部の挿通部に、固定手段を構成するボルトが挿通されて、配置部に、ボルト止めされることにより、緑化枠体は、配置部に取り外し可能に取り付け固定される。したがって、緑化枠体が破損した場合や、肥料性部材を取り替えたい場合には、緑化枠体を配置部から取り外して、緑化枠体あるいは肥料性部材を取り換え交換することができる。
【０００９】
また、請求項３に記載の発明に係る緑化枠体のように、前記被固定部は、前記枠体本体の両側部に設けられており、その一方側の被固定部に、係合凸部が形成され、その他方側の被固定部に、係合凹部が形成されており、前記係合凸部に、同形状の他の緑化枠体の係合凹部を係合させることにより、前記一方側の被固定部に設けられた挿通部と、前記他の緑化枠体の、他方側の被固定部に設けられた挿通部とが、前記ボルトを挿通可能なように連通するのが望ましい。これにより、緑化枠体の、一方側の被固定部に設けられた挿通部と、その挿通部と連通する、他の緑化枠体の、他の被固定部に設けられた挿通部とに、固定手段を構成するボルトを挿通して、ボルト止めすることにより、緑化枠体の、一方側の被固定部と、同形状の他の緑化枠体の、他方側の被固定部とが同時に、前記配置部に取り付け固定されることになる。
【００１０】
また、請求項４に記載の発明に係る緑化枠体のように、前記開口部に、渡し材が渡されて、前記開口部が複数に区画されているとともに、前記渡し材が前記肥料性部材保持部となっているのが望ましい。これにより、肥料性部材は、開口部に渡された渡し材と、配置部とで確実に保持される。また、開口部が複数に区画されることによって、枠体本体の前面側には、凹凸ができるので、緑化枠体の前面部に吹き付けられたり、敷き詰められる植物生育基盤材の、流失、欠落等が抑えられる。
【００１１】
また、請求項５に記載の発明に係るブロック体は、請求項１ないし４のいずれか１項に記載の緑化枠体と、前面側が前記配置部となるコンクリートブロックと、前記肥料性部材と、前記固定手段とを備える。そして、前記緑化枠体の収納部に、前記肥料性部材が収納されて、前記緑化枠体の被固定部が、前記固定手段によって、前記配置部に取り付け固定されることにより、前記緑化枠体が前記配置部に固定されている。これによれば、肥料性部材は、緑化枠体の肥料性部材保持部と、コンクリートブロックの前面とで保持されるようにして、コンクリートブロックの前面側に配置される。
【００１２】
また、請求項６に記載の発明に係るブロック体のように、前記肥料性部材は、腐食によって有機質肥料となり得る、木材、枝葉などを主材としてマット状、ボード状に成形した木質成形材、もしくは、畳、畳床あるいは畳表等の畳材からなるのが望ましい。これにより、間伐材、剪定枝葉などの廃材からなる木材、枝葉を主材としてマット状、ボード状に成形した木質成形材、もしくは、使用済の畳、畳床あるいは畳表等の畳材を利用して、資源の再利用および製品コストの削減を図ることができる。
【００１３】
また、請求項７に記載の発明に係る緑化構造は、請求項１ないし４のいずれか１項に記載の緑化枠体と、前記配置部と、前記肥料性部材と、前記固定手段とを備え、その固定手段は、前記緑化枠体の被固定部と前記配置部との間の距離を調節して、前記緑化枠体を、前記配置部に取り付け固定することができるように機能する。これにより、配置部に起伏があるような場合でも、固定手段で、緑化枠体の被固定部と、配置部との間の距離を調節することにより、例えば、前記配置部に並ぶように取り付け固定された、各緑化枠体の前面を、面一にレベル調整することが可能になる。
【００１４】
また、請求項８に記載の発明に係る緑化構造のように、前記固定手段は、雄ネジ部材と、その雄ネジ部材に螺合する雌ネジ部材とからなり、前記雄ネジ部材または前記雌ネジ部材のねじ込み量の調節によって、前記緑化枠体の被固定部と前記配置部との間の距離が調節されるのが望ましい。これにより、前記雄ネジ部材または前記雌ネジ部材のねじ込み量の調節によって、前記緑化枠体の被固定部と前記配置部との間の距離が容易に調節される。
【００１５】
【発明の実施の形態】
以下、この発明に係る緑化枠体、その緑化枠体を備えるブロック体、および、その緑化枠体を備える緑化構造の、一実施の形態を図面に基づいて説明する。
【００１６】
図１ないし図８は、本発明に係る緑化枠体、その緑化枠体を備えるブロック体、およびその緑化枠体を備える緑化構造の第一の実施の形態を示す。
【００１７】
図中符号１は、緑化擁壁Ｒを構築するためのブロック体であって、緑化枠体２と、コンクリート二次製品であるコンクリートブロック３と、肥料性部材４と、固定手段５とを備えている。そして、コンクリートブロック３の前面３ａ側が、肥料性部材４が配置される配置部Ｈとなっている。
【００１８】
緑化枠体２は、例えば、合成樹脂製であって、配置部Ｈに、肥料性部材４を配置すべく、前記配置部Ｈに取り付け固定されるものである。この緑化枠体２は、枠体本体６と、肥料性部材４が、枠体本体６の背面６ａ側から収納される２つの収納部７、７と、これら収納部７、７に収納される、凹部状の肥料性部材４、４を、枠体本体６の正面６ｂ側に現れるようにするための開口部８、８とを備える。そして、さらに、この緑化枠体２は、枠体本体６の左右両側部に、固定手段５によって、配置部Ｈに取り付け固定される、第一被固定部９および第二の被固定部１０を備え、また、枠体本体６の上下両側には、固定手段５によって、配置部Ｈに取り付け固定される、第三被固定部１１および第四被固定部１２を備えている。
【００１９】
枠体本体６は、例えば、正面視長方形状からなり、上部に、後述する植物生育基盤材１５の流失、欠落等を防止するための基盤材受け部６ｃが設けられている。収納部７は、枠体本体６に、上下に並ぶように設けられており、枠体本体６の背面６a側に向かって、横長で長方形状に開口するように形成された、前記肥料性部材４を挿入するための挿入口７aを備えている。また、各収納部７、７の、底部でもある壁部７ｂ、７ｂには、開口部８、８が、挿入口７aよりも若干小さな大きさで、全体として正面視長方形状に開口するように形成されている。そして、この開口部８の周囲の壁部７ｂが、収納部７に収納された肥料性部材４を、配置部Ｈとで保持するための肥料性部材保持部Ｆの外枠を形成している。また、開口部８に、渡し材８ａ、８ａが渡されて、この開口部８は、複数に区画されている。そして、これらの渡し材８ａ、８ａが、収納部７に収納された肥料性部材４を、前記配置部Ｈとで保持するための、肥料性部材保持部Ｆの内枠を形成している。なお、図示実施の形態においては、枠体本体６は、肥料性部材保持部Ｆの外枠としての壁部７ｂと、内枠としての渡し材８ａとを備えているが、必ずしもそれらを両方備える必要はなく、どちらか一方だけを備える場合でも構わない。
【００２０】
第一被固定部９は、枠体本体６の一側部下方位置に設けられた、前方側に向かうほど幅狭となるように突き出る断面台形状からなり、その第一被固定部９全体が、係合凸部１３を兼ねている。そして、第一被固定部９には、枠体本体６の厚み方向（前後方向）に貫通する、固定手段５を構成するボルト（図示実施の形態においては、六角ボルト）５ａを挿通させるための、長穴状の挿通部９ａが設けられている（図５参照）。
【００２１】
第二被固定部１０は、枠体本体６の他側部下方位置に設けられた、断面略Ｍ字形状からなり、前方側に向かうほど幅狭となるように、その背面１０ａ側から断面台形状に凹んで、前記係合凸部１３とぴったり嵌まり合うことができる大きさおよび形状からなる、係合凹部１４が形成されている。そして、第一被固定部１０には、枠体本体６の厚み方向（前後方向）に貫通する、固定手段５を構成するボルト（図示実施の形態においては、六角ボルト）５ａを挿通させるための、長穴状の挿通部１０ｂが設けられている（図６参照）。
【００２２】
そして、第一被固定部９の係合凸部１３に、同形状の他の緑化枠体２の係合凹部１４を係合させて、両緑化枠体２、２を連結させることにより、第一被固定部９に設けられた挿通部９ａと、前記他の緑化枠体２の、第二被固定部１０に設けられた挿通部１０ｂとが、前記ボルト５ａを挿通可能なように連通するようになっている（図７参照）。
【００２３】
第三被固定部１１は、角柱形状であって、枠体本体６の基盤材受け部６ｃ内側の左右方向ほぼ中央位置に設けられており、また、第四被固定部１２も、角柱形状であって、枠体本体６の下部の左右方向ほぼ中央位置に設けられている。そして、これら第三および第四被固定部１１、１２には、枠体本体６の厚み方向（前後方向）に貫通する、前記ボルト５ａを挿通させるための挿通部１１ａ、１２ａが設けられている。
【００２４】
コンクリートブロック３は、擁壁部Yと、この擁壁部Yの後方に突出形成される左右一対の控え壁部３ｂ、３ｂとを備えた、擁壁用コンクリートブロックである。配置部Ｈとしての、前記擁壁部Yの前面３ａ側、すなわち、コンクリート３の前面３ａ側には、固定手段５を構成するボルト５ａが螺合可能な、雌ネジ部Wを備えるインサートナットＮ、Ｎが埋設されており、かつ、これらインサートナットＮ、Ｎは、前記前面３ａ側に固定される４つ緑化枠体２、２の第一、第二、第三および第四被固定部９、１０、１１、１２の各挿通部９ａ、１０ｂ、１１ａ、１２ａに対応するように、位置している。
【００２５】
肥料性部材４は、腐食によって有機質肥料となり得るとともに、保水性の良好な素材からなるもので、しかも、コスト的に安価なもの、例えば、間伐材、剪定枝葉などの廃材からなる木材、枝葉を主材としてマット状、ボード状に成形した木質成形材とか、あるいは、使用済の畳、畳床あるいは畳表等の畳材などが好ましい。そして、これら木質成形材あるいは畳材からなる肥料性部材４は、取り扱い上の便宜から、緑化枠体２の横長の収納部７にすっぽりと収まるような、短冊状の一枚ものにカット成形されているが、必ずしもそのような形状に限定されるものではない。また、肥料性部材４が、前記木質成形材とか畳材とかに限られないことはいうまでもない。
【００２６】
ここで、緑化枠体２を備える緑化構造、および、肥料性部材４の配置部Ｈへの配置について説明する。始めに、緑化枠体２の枠体本体６の背面６ａ側から、各収納部７、７に肥料性部材４、４をそれぞれ収納する。そして、肥料性部材４、４を収納した状態で、緑化枠体２を、コンクリートブロック３の正面３ａ側の右寄り部分にあてがい、第二、第三および第四被固定部１０、１１、１２の挿通部１０ｂ、１１ａ、１２ａに、ボルト５ａを挿通して、インサートナットＮにねじ込むことにより、第二、第三および第四被固定部１０、１１、１２は、配置部Ｈにボルト止めされる。次に、その緑化枠体２の、第一被固定部９の係合凸部１３に、肥料性部材４、４を収納した状態でコンクリートブロック３の正面３ａ側の左寄りの部分にあてがわれる、同形状の他の緑化枠体２の、第二被固定部１０の係合凹部１４を係合させて、両緑化枠体２、２を連結させた後、連通した挿通部１０ｂおよび９ａに、ボルト５ａを挿通して、インサートナットＮにねじ込むことにより、緑化枠体２の第一被固定部９と、同形状の他の緑化枠体２の第二被固定部１０とが同時に、前記配置部Ｈにボルト止めされる。そして、前記他の緑化枠体２の、残りの第一、第三および第四被固定部９、１１、１２を同様に取り付けることにより、緑化枠体２、および、他の緑化枠体２が、配置部Ｈに取り外し可能に取り付け固定される。以後、同様の作業を繰り返して、一つのコンクリートブロック３に、左右上下で計４個の、肥料性部材４を収納した緑化枠体２を取り付ける。
【００２７】
こうして、肥料性部材４は、緑化枠体２の収納部７が有する、肥料性部材保持部Ｆとしての壁部７ａおよび渡し材８ａと、配置部Ｈとしてのコンクリートブロック３の正面３ａとで保持されるとともに、開口部８を通して、枠体本体６の正面６ａ側に現れる。
【００２８】
次に、この第一の実施の形態に係るブロック体１を用いた、緑化擁壁Ｒの構築について説明する。複数のブロック体１、１を左右に並べるとともに、緑化枠体２、２が上方を向くように、斜めに積み上げる。そして、コンクリートブロック３の正面３ａ側、および、その正面３ａ側に固定された緑化枠体２の前面に向けて、植物生育基盤材１５を吹き付ける。すると、植物生育基盤材１５は、緑化枠体２がすっぽりと隠れる程度の厚みにまで積層し、その結果、植生層Ｓが形成される。そして、この植物生育基盤材１５は、緑化枠体２によって、ブロック体１の前面側に形成された、大きな凹凸、緑化枠体２の開口部８が複数に区画されることによって、枠体本体６の前面６ａ側に形成された小さな凹凸、および、枠体本体６の上部の基盤材受け部６ｃによって、その流失、欠落等を抑えることができるようになっている。なお、植物生育基盤材１５は、土壌あるいは土壌に代わるものを基材として、種子、粘着材、土壌活性材（土壌改良材）、肥料等が、必要に応じて混合される。
【００２９】
そして、緑化擁壁Ｒは、月日を経ることで、植生層Ｓから種子が発芽して、植物が成長すると、その根は、緑化枠体２の開口部８を通して、腐食により有機肥料化した肥料性部材４に到達し、その養分を吸収しつつ成長し続けるので、その生育が促進される。
【００３０】
この実施の形態に示される緑化枠体２、その緑化枠体２を備えるブロック体１、および、その緑化枠体２を備える緑化構造によれば、肥料性部材４を、配置部Ｈとしてのコンクリートブロック３の前面３ａ側に、後付けで、容易かつ確実に配置することができる。また、緑化枠体２は、固定手段５によって、配置部Ｈとしてのコンクリートブロック３の前面３ａ側に取り外し可能に取り付け固定されているので、緑化枠体２や肥料性部材４を、取り替え交換することができるようになる。しかも、緑化枠体２によれば、肥料性部材４を、肥料性部材保持部Ｆとしての、収納部７の壁部７ｂおよび渡し材８ａと、配置部Ｈとで確実に保持することができる。また、緑化枠体２の、第一被固定部９と、同形状の他の緑化枠体２の、第二被固定部１０とを同時に、配置部Ｈに、取り付け固定することができるので、施工性に優れる。
【００３１】
また、肥料性部材４がコンクリートブロック３の前面３ａ側に配置されていることから、植物の育成に適した、ブロック体１を提供することができる。そして、このブロック体１によれば、間伐材、剪定枝葉などの廃材からなる木材、枝葉を主材としてマット状、ボード状に成形した木質成形材、もしくは、使用済の畳、畳床あるいは畳表等の畳材を肥料性部材４として利用するので、資源の再利用および製品コストの削減を図ることができる。
【００３２】
なお、本発明に係る緑化枠体２、その緑化枠体２を備えるブロック体１、および、その緑化枠体２を備える緑化構造は、上述した実施の形態に限定されるわけではなく、その他種々の変更が可能である。例えば、図９ないし図１１に示される、第二の実施の形態のように、４つの収納部７、７を備える緑化枠体２を２つ、配置部Ｈとしての、コンクリートブロック３の前面３ａ側に、取り付け固定することによって、８つの肥料性部材４、４が、前記配置部Ｈに、後付けによって、配置されるようなものであってもよい。
【００３３】
この第二の実施の形態の、緑化枠体２を備えるブロック体１は、第一の実施の形態と同様に、緑化擁壁Ｒを構築するためのものであって、その構成もほぼ同様である。そして、この第二の実施の形態の緑化枠体２は、枠体本体６の背面６ａ側から収納される４つの収納部７、７と、挿通部１６ａ、１６ａが設けられた６つの被固定部１６、１６とを備えている。これによれば、固定手段５によって、６つの被固定部１６、１６を、前記配置部Ｈにボルト止めすることにより、４つの肥料性部材４、４を、一度に前記配置部Ｈに配置することができるので、施工性に優れる。また、枠体本体６の正面６ｂ側に、開口部８が設けられた、植物生育基盤材１５の流失、欠落を防止するための凹部６ｄ、６ｄが形成されているので、枠体本体６の正面６ｂ側に凹凸を、更に増やすことができるので、緑化擁壁Ｒを構築の際に吹き付けられる、植物生育基盤材１５の流失、欠落を、より一層防ぐことができる。なお、枠体本体６の植物生育基盤材１５の流失、欠落を防止するための、基盤材受け部６ｃとか、凹部６ｄとかは、必ずしも設ける必要はない。
【００３４】
このように、緑化枠体２の収納部７は、１つ以上備えていればよい。また、緑化枠体２の形状も、長方形状に限られず、どのような形状であってよく、その材質も、合成樹脂製以外の、金属製、木製等であってよく、特に限定されない。勿論、ブロック体１の態様は、コンクリートブロック３に、緑化枠体２を一つだけ固定して、前記配置部Ｈに肥料性部材４を配置するような態様であってよく、また、三つ以上の緑化枠体２、２を連結固定して、前記配置部Ｈに肥料性部材４、４を配置するような態様であってよい。
【００３５】
また、成形されたコンクリート二次製品であるコンクリートブロック３は、前方がポーラスコンクリート部、後方が普通コンクリート部で構成されている、複合コンクリートブロックからなる擁壁コンクリートブロックであってよい。このように前方がポーラスコンクリート部になっていることで、ポーラスコンクリート部の空隙部にも植物生育基盤材１５を充填することが可能になるので、植物の生育に好適な環境を形成することができるようになる。また、コンクリートブロック３は、Ｌ型擁壁ブロック、さらには、水路等に用いられる水路用ブロックなどその他のコンクリートブロックであってもよく、図示実施の形態に示されたような擁壁用コンクリートブロックに限定されるわけではない。
【００３６】
また、緑化構造は、図１２に示すように、第二の実施の形態の緑化枠体２と、コンクリート二次製品であるコンクリートブロック１７としての、大型水路用ブロックの内側壁面１７ａからなる配置部Ｈと、肥料性部材４と、固定手段１８とを備えるものであってよい。この固定手段１８は、六角ボルトからなるボルト１８ａと、コンクリートブロック１７の上部に設けられた溝１７ｂに嵌め込まれる係止具１８ｂとから構成されている。そして、係止具１８ｂを溝１７ｂに嵌め込み、緑化枠体２の被固定部１６の挿通部１６ａに、ボルト１８ａを通して、係止具１８ｂの雌ねじ部１８ｃにねじ込むことにより、緑化枠体２の収納部７に収納された肥料性部材４を、前記配置部Ｈとしての内側壁面１７ａに配置することができる。このようにして、コンクリートブロック１７にインサートナットＮが埋設されていないような場合であっても、コンクリートブロック１７に、緑化枠体２を固定手段１８によって固定することができるようになる。
【００３７】
また、既設の水路用コンクリートブロックについては、専用の係止具を用意して、コンクリートブロックの側壁上部に嵌め込み、緑化枠体２の被固定部１６の挿通部１６ａに、ボルト１８ａを通して、前記専用の係止具に設けた雌ねじ部にねじ込むことにより、緑化枠体２の収納部７に収納された肥料性部材４を、前記配置部Ｈとしての、前記水路用コンクリートブロックの内側壁面に、後付けで、配置することができるようになる。もっとも、コンクリート二次製品ではない、現場打設されたコンクリート水路の内側壁面からなる配置部Ｈに、肥料性部材４が収納された緑化枠体２を取り付け固定して、その配置部Ｈに、肥料性部材４を配置するようにしても構わない。
【００３８】
また、図１３に示す緑化構造のように、この緑化構造が備える固定手段１９が、第一の実施の形態の緑化枠体２の第一被固定部９、および、同形状の他の緑化枠体２の第二被固定部１０と、配置部Ｈとの間の距離を調節して、緑化枠体２、および、他の緑化枠体２を、配置部Ｈに取り付け固定することができるように機能するものであってよい。そして、この固定手段１９は、雄ネジ部材１９ａとしてのボルトと、その雄ネジ部材１９ａに螺合する、雌ネジ部材１９ｂとしてのナットとからなる。これによれば、配置部Ｈが、例えば、公園等のコンクリート製の歩道で、その配置部Ｈに起伏があるような場合でも、雄ネジ部材１９ａの、配置部Ｈに埋設されたインサートナットＮへのねじ込み量、または、雌ネジ部材１９ｂのねじ込み量を調節することによって、緑化枠体２の第一被固定部９、および、他の緑化枠体２の第二被固定部１０と、配置部Ｈとの間の距離が容易に調節される。よって、例えば、配置部Ｈに並ぶように取り付け固定された、各緑化枠体２、２の前面を、面一にレベル調整することができるようになる。
【００３９】
また、配置部Ｈは、コンクリート二次製品のコンクリート部表面以外の、例えば、駐車場、屋上あるいはベランダ等の、コンクリート部とかモルタル部とかであってもよく、また、歩道のアスファルト部等、さらには裸地等の土部であってよく、特に限定されない。そして、配置部Ｈが、インサートナットＮを埋設できないような配置部Ｈ、すなわち、アスファルト部であるような場合は、図１４に示す緑化構造のように、この緑化構造が備える固定手段２０によって、緑化枠体２、および、他の緑化枠体２が配置部Ｈに取り付け固定されるものであってもよい。この固定手段２０は、雄ネジ部材２０ａとしての寸切りボルトが立設された、底部に複数の針部２０ｂ、２０ｂを備える支持脚２０ｃと、雄ネジ部材２０ａに螺合する、雌ネジ部材２０ｄ、２０ｄとしての２つのナットとからなる。これによれば、支持脚２０ｃの針部２０ｂ、２０ｂが、配置部Ｈとしてのアスファルト部に突き刺さって、支持脚２０ｃが起立するので、緑化枠体２、および、他の緑化枠体２を安定して配置部Ｈに取り付けることができる。しかも、雌ネジ部材２０ｄ、２０ｄのねじ込み量を調節することによって、緑化枠体２の第一被固定部９、および、他の緑化枠体２の第二被固定部１０と、配置部Ｈとの間の距離を容易に調節することができる。以上詳述したように、緑化枠体２を備える緑化構造は、種々の変更が可能である。
【００４０】
【発明の効果】
請求項１に記載された緑化枠体によれば、コンクリート部、モルタル部、アスファルト部あるいは土部等の配置部に、肥料性部材を、容易かつ確実に配置することができる。
【００４１】
また、請求項２に記載された緑化枠体によれば、加えて、緑化枠体や、肥料性部材を、取り替え交換することができるようになる。
【００４２】
また、請求項３に記載された緑化枠体によれば、加えて、緑化枠体の、一方側の被固定部と、同形状の他の緑化枠体の、他方側の被固定部とを同時に、前記配置部に取り付け固定することができるので、施工性に優れる。
【００４３】
また、請求項４に記載された緑化枠体によれば、加えて、肥料性部材を、渡し材と、配置部とで確実に保持することができる。また、緑化枠体の前面部に吹き付けられたり、敷き詰められる植物生育基盤材の、流失、欠落等を抑えることができる。
【００４４】
また、請求項５に記載されたブロック体によれば、植物の育成に適した、ブロック体を提供することができる。
【００４５】
請求項６に記載されたブロック体によれば、加えて、資源の再利用および製品コストの削減を図ることができる。
【００４６】
また、請求項７に記載された緑化構造によれば、配置部に起伏あるような場合でも、緑化枠体の被固定部と、配置部との間の距離を調節することにより、例えば、配置部に並ぶように取り付け固定された、各緑化枠体の前面を、面一にレベル調整することができる。
【００４７】
また、請求項８に記載された緑化構造によれば、加えて、緑化枠体の被固定部と、配置部との間の距離を、容易に調節することができる。
【図面の簡単な説明】
【図１】この発明に係る第一の実施の形態の、緑化枠体を備えるブロック体の正面図である。
【図２】この発明に係る緑化枠体の、第一の実施の形態の正面図である。
【図３】同じく、背面図である。
【図４】図２における、Ａ−Ａ線による断面図である。
【図５】図２における、Ｂ−Ｂ線による断面図である。
【図６】図２における、Ｃ−Ｃ線による断面図である。
【図７】図１における、Ｄ−Ｄ線による断面図である。
【図８】この発明に係るブロック体を用いた緑化擁壁の縦断面図である。
【図９】この発明に係る第二の実施の形態の、緑化枠体を備えるブロック体の正面図である。
【図１０】この発明に係る緑化枠体の、第二の実施の形態の正面図である。
【図１１】同じく、背面図である。
【図１２】この発明に係る、緑化枠体を備える緑化構造の、他の変形例を示す要部拡大縦断面図である。
【図１３】この発明に係る、緑化枠体を備える緑化構造の、さらなる他の変形例を示す要部拡大縦断面図である。
【図１４】この発明に係る、緑化枠体を備える緑化構造の、さらなる他の変形例を示す要部拡大縦断面図である。
【符号の説明】
１      ブロック体
２      緑化枠体
３、１７  コンクリートブロック
３ａ    コンクリートブロックの前面
４      肥料性部材
５、１８  固定手段
５ａ    ボルト
６      枠体本体
６ａ    枠体本体の背面
６ｂ    枠体本体の正面
７      収納部
８      開口部
８ａ    渡し材（肥料性部材保持部）
９      第一被固定部（一方側の被固定部）
９ａ、１０ｂ、１６ａ  挿通部
１０    第二被固定部（他方側の被固定部）
１１    第三被固定部（被固定部）
１２    第四被固定部（被固定部）
１３    係合凸部
１４    係合凹部
１６    被固定部
１９ａ、２０ａ  雄ネジ部材
１９ｂ、２０ｄ  雌ネジ部材
Ｆ      肥料性部材保持部
Ｈ      配置部
【図１】
0003780188.tif 000002
【図２】
0003780188.tif 000003
【図３】
0003780188.tif 000004
【図４】
0003780188.tif 000005
【図５】
0003780188.tif 000006
【図６】
0003780188.tif 000007
【図７】
0003780188.tif 000008
【図８】
0003780188.tif 000009
【図９】
0003780188.tif 000010
【図１０】
0003780188.tif 000011
【図１１】
0003780188.tif 000012
【図１２】
0003780188.tif 000013
【図１３】
0003780188.tif 000014
【図１４】
0003780188.tif 000015